(57)【特許請求の範囲】
【請求項１】
レンズの光軸方向から見たときの形状が略四角形状となるレンズ駆動装置であって、
前記レンズを保持し前記光軸方向へ移動可能な可動体と、前記可動体を前記光軸方向へ移動可能に保持する固定体と、前記可動体を前記光軸方向へ駆動する駆動機構とを備え、
前記駆動機構は、前記可動体の外周面に巻回される駆動用コイルを備え、
前記固定体は、前記可動体および前記駆動機構の外周側を覆うカバー部材と、前記レンズ駆動装置の反被写体側の端面を構成するベース部材とを備え、
前記可動体は、前記光軸方向に略直交する方向へ、かつ、前記レンズ駆動装置の四隅のうちの３箇所のそれぞれに向かって広がる３個の拡張部を備えるとともに、反被写体側から引き回される前記駆動用コイルの一部を引っ掛けるフック部を前記可動体の被写体側に備え、
前記フック部は、前記光軸方向に略直交する方向へ、かつ、前記拡張部が形成されていない前記レンズ駆動装置の四隅のうちの残りの１箇所へ向かって突出しており、
前記ベース部材の略中心には、前記光軸方向へ貫通する貫通孔が形成され、
前記拡張部が形成されていない前記レンズ駆動装置の四隅のうちの残りの１箇所の、前記ベース部材の被写体側の面には、被写体側に向かって立ち上る第１の壁部が形成されるとともに、前記ベース部材の被写体側の面には、前記貫通孔を囲むように、かつ、被写体側に向かって立ち上る第２の壁部が形成され、
前記第１の壁部は、前記第２の壁部よりも高くなっていることを特徴とするレンズ駆動装置。
【請求項２】
前記拡張部は、前記可動体の被写体側に形成されていることを特徴とする請求項１記載のレンズ駆動装置。
【請求項３】
前記拡張部は、平板状に形成されていることを特徴とする請求項１または２記載のレンズ駆動装置。
【請求項４】
前記駆動機構は、略四角筒状に形成される前記カバー部材の４つの側面に沿って配置される平板状の駆動用磁石を備え、
前記駆動用磁石は、前記駆動用コイルに対向する対向部と、前記対向部から前記レンズ駆動装置の四隅のうちの隣り合う２箇所に向かって伸びる非対向部とを備えることを特徴とする請求項１から３のいずれかに記載のレンズ駆動装置。
【請求項５】
前記拡張部には、前記光軸方向を軸方向として前記可動体が回動したときの前記拡張部と前記駆動用磁石との干渉を防止するための切欠き部が形成されていることを特徴とする請求項４記載のレンズ駆動装置。
【請求項６】
前記可動体の被写体側で前記可動体と前記固定体とを繋ぐ板バネを備え、
前記固定体は、前記板バネの一部が固定される略四角形の枠状のバネ固定部材を備え、
前記バネ固定部材は、前記レンズ駆動装置の四隅に配置され反被写体側に向かって伸びる突起部を備え、
前記突起部は、前記レンズ駆動装置の周方向で隣り合う前記駆動用磁石の端面の間に形成される隙間に配置されていることを特徴とする請求項４または５記載のレンズ駆動装置。
【請求項７】
前記レンズ駆動装置の周方向で隣り合う前記駆動用磁石の端面の間に形成される隙間の少なくとも一部には、接着剤が充填されていることを特徴とする請求項４から６のいずれかに記載のレンズ駆動装置。
【請求項８】
前記駆動機構は、前記光軸方向に所定の間隔をあけた状態で前記可動体に巻回される２個の前記駆動用コイルを備え、
前記可動体の、２個の前記駆動用コイルの間には、前記光軸方向に略直交する方向へ、かつ、前記拡張部が形成されていない前記レンズ駆動装置の四隅のうちの残りの１箇所へ向かって突出する第１の突出部が形成されていることを特徴とする請求項１から７のいずれかに記載のレンズ駆動装置。
【請求項９】
前記可動体の反被写体側には、前記光軸方向に略直交する方向へ、かつ、前記拡張部が形成されていない前記レンズ駆動装置の四隅のうちの残りの１箇所へ向かって突出する第２の突出部が形成されていることを特徴とする請求項１から８のいずれかに記載のレンズ駆動装置。
【請求項１０】
前記ベース部材の被写体側の面には、前記光軸方向における前記可動体の基準位置を決めるための基準凹部が反被写体側に向かって窪むように形成され、
前記基準凹部の底面は、前記可動体が当接して前記光軸方向における前記可動体の基準位置を決める基準面となっており、
前記第２の壁部は、前記基準凹部の側面を構成していることを特徴とする請求項１から９のいずれかに記載のレンズ駆動装置。
【請求項１１】
前記ベース部材には、前記光軸方向において、略四角筒状に形成される前記カバー部材の反被写体側の端面と重なるカバー部材固定面が形成され、
前記カバー部材固定面には、前記カバー部材の反被写体側の端面に当接する当接面を有する凸部が被写体側へ突出するように形成されていることを特徴とする請求項１から１０のいずれかに記載のレンズ駆動装置。
【発明の詳細な説明】
【技術分野】
【０００１】
本発明は、携帯電話等で使用される比較的小型のカメラに搭載されるレンズ駆動装置に関する。
【背景技術】
【０００２】
従来、携帯電話等に搭載されるカメラの撮影用レンズを駆動するレンズ駆動装置が知られている（たとえば、特許文献１参照）。特許文献１に記載のレンズ駆動装置は、レンズを保持する移動体と、レンズの光軸方向へ移動体を移動可能に保持する支持体と、移動体を光軸方向へ駆動する駆動機構とを備えている。支持体は、移動体および駆動機構の外周側に配置されレンズ駆動装置の側面を構成する略有底四角筒状のケースと、レンズ駆動装置の反被写体側の端面を構成するベースとを備えている。
【０００３】
略有底四角筒状に形成されるケースの底部は、レンズ駆動装置の被写体側の端面を構成している。ケースの底部には、光軸方向に貫通する開口部が形成されている。ベースの中心には、光軸方向に貫通する貫通孔が形成されている。特許文献１に記載のレンズ駆動装置が搭載されるカメラでは、この貫通孔の中、あるいは、この貫通孔よりも反被写体側に、可視光を透過して近赤外光をカットするＩＲカットフィルタや撮像素子が配置されている。ベースの被写体側の面には、光軸方向における移動体の基準位置を決めるためのストッパ部が被写体側へ突出するように形成されており、移動体に形成される突起がストッパ部の被写体側の面に当接することで、光軸方向における移動体の基準位置が決まる。また、ベースの被写体側の面の、貫通孔とストッパ部との間には、反被写体側に向かって窪む塵埃貯留用凹部が形成されている。
【０００４】
このレンズ駆動装置では、移動体の突起とベースのストッパ部とが接触する際に生じうる塵埃は、塵埃貯留用凹部に溜まるようになっている。そのため、このレンズ駆動装置では、移動体の突起とベースのストッパ部とが接触する際に生じうる塵埃が貫通孔を通過して、撮像素子やＩＲカットフィルタに付着するのを防止することが可能であり、レンズ駆動装置が搭載されるカメラで撮影された画像に塵埃に起因する黒点等が発生するのを防止することが可能になる。
【先行技術文献】
【特許文献】
【０００５】
【特許文献１】特開２０１０−１９０９２３号公報
【発明の概要】
【発明が解決しようとする課題】
【０００６】
特許文献１に記載のレンズ駆動装置では、光軸方向における移動体の移動量を確保するため、レンズ駆動装置の被写体側の端面を構成するケースの底部と移動体の被写体側の端面との間に隙間が形成されている。したがって、このレンズ駆動装置では、この隙間からレンズ駆動装置の内部に塵埃が入り込むおそれがある。上述のように、特許文献１に記載のレンズ駆動装置では、移動体の突起とベースのストッパ部とが接触する際に生じうる塵埃が貫通孔を通過して撮像素子やＩＲカットフィルタに付着するのを防止するための配慮はなされている。しかしながら、このレンズ駆動装置では、ケースの底部と移動体の被写体側の端面との隙間からレンズ駆動装置の内部に入り込んだ塵埃が撮像素子やＩＲカットフィルタに付着するのを防止するための十分な配慮はなされていない。
【０００７】
そこで、本発明の課題は、レンズの光軸方向から見たときの形状が略四角形状となるレンズ駆動装置であって、レンズ駆動装置の被写体側の端面部と可動体との間からレンズ駆動装置の内部へ入り込んだ塵埃が撮像素子やＩＲカットフィルタに付着するのを防止することが可能なレンズ駆動装置を提供することにある。
【課題を解決するための手段】
【０００８】
上記の課題を解決するため、本発明のレンズ駆動装置は、レンズの光軸方向から見たときの形状が略四角形状となるレンズ駆動装置であって、レンズを保持し光軸方向へ移動可能な可動体と、可動体を光軸方向へ移動可能に保持する固定体と、可動体を光軸方向へ駆動する駆動機構とを備え、駆動機構は、可動体の外周面に巻回される駆動用コイルを備え、固定体は、可動体および駆動機構の外周側を覆うカバー部材と、レンズ駆動装置の反被写体側の端面を構成するベース部材とを備え、可動体は、光軸方向に略直交する方向へ、かつ、レンズ駆動装置の四隅のうちの３箇所のそれぞれに向かって広がる３個の拡張部を備えるとともに、反被写体側から引き回される駆動用コイルの一部を引っ掛けるフック部を可動体の被写体側に備え、フック部は、光軸方向に略直交する方向へ、かつ、拡張部が形成されていないレンズ駆動装置の四隅のうちの残りの１箇所へ向かって突出しており、ベース部材の略中心には、光軸方向へ貫通する貫通孔が形成され、拡張部が形成されていないレンズ駆動装置の四隅のうちの残りの１箇所の、ベース部材の被写体側の面には、被写体側に向かって立ち上る第１の壁部が形成されるとともに、ベース部材の被写体側の面には、貫通孔を囲むように、かつ、被写体側に向かって立ち上る第２の壁部が形成され、第１の壁部は、第２の壁部よりも高くなっていることを特徴とする。
【０００９】
レンズの光軸方向から見たときのレンズ駆動装置の形状が略四角形状となっている場合には、レンズ駆動装置の内部の四隅に空間が形成されやすいため、レンズ駆動装置の被写体側の端面部と可動体との間からレンズ駆動装置の内部へ入り込んだ塵埃は、レンズ駆動装置の四隅において、カバー部材の内側を通過して、撮像素子やＩＲカットフィルタが配置されるレンズ駆動装置の反被写体側へ移動しやすい。しかしながら、本発明では、可動体が、光軸方向に略直交する方向へ、かつ、レンズ駆動装置の四隅のうちの３箇所のそれぞれに向かって広がる３個の拡張部を備えているため、レンズ駆動装置の四隅うちの３箇所において、可動体とカバー部材との隙間を小さくすることが可能になる。したがって、本発明では、レンズ駆動装置の被写体側の端面部と可動体との間からレンズ駆動装置の内部へ入り込んだ塵埃が、レンズ駆動装置の反被写体側へ移動するのを拡張部によって抑制することが可能になり、その結果、レンズ駆動装置の被写体側の端面部と可動体との間からレンズ駆動装置の内部へ入り込んだ塵埃が撮像素子やＩＲカットフィルタに付着するのを防止することが可能になる。また、本発明では、可動体は、反被写体側から引き回される駆動用コイルの一部を引っ掛けるフック部を可動体の被写体側に備え、フック部は、光軸方向に略直交する方向へ、かつ、拡張部が形成されていないレンズ駆動装置の四隅のうちの残りの１箇所へ向かって突出している。そのため、反被写体側から引き回される駆動用コイルの一部をフック部に引っ掛けた状態で可動体の外周面に駆動用コイルを巻回することが可能になり、可動体の被写体側から反被写体側に向かって整然と駆動用コイルを巻回することが可能になる。したがって、駆動用コイルの巻回作業が容易になる。また、フック部が、光軸方向に略直交する方向へ、かつ、拡張部が形成されていないレンズ駆動装置の四隅のうちの残りの１箇所へ向かって突出しているため、拡張部が形成されていないレンズ駆動装置の四隅のうちの１箇所でも、可動体とカバー部材との隙間を小さくして、塵埃が、レンズ駆動装置の反被写体側へ移動するのを抑制することが可能になる。さらに、本発明では、拡張部が形成されていないレンズ駆動装置の四隅のうちの残りの１箇所の、ベース部材の被写体側の面に、被写体側に向かって立ち上る第１の壁部が形成されている。したがって、反被写体側から被写体側へ駆動用コイルを引き回すために拡張部よりも小さく形成されたフック部が配置されるレンズ駆動装置の四隅のうちの１箇所において、仮に、ベース部材まで塵埃が移動したとしても、この塵埃が貫通孔を通過して撮像素子やＩＲカットフィルタに付着するのを、第１の壁部によって阻止することが可能になる。さらにまた、本発明では、ベース部材の被写体側の面に、貫通孔を囲むように、かつ、被写体側に向かって立ち上る第２の壁部が形成されているため、仮に、レンズ駆動装置の四隅において、ベース部材まで塵埃が移動したとしても、この塵埃が貫通孔を通過して撮像素子やＩＲカットフィルタに付着するのを、第２の壁部によって阻止することが可能になる。また、本発明では、第１の壁部が、第２の壁部よりも高くなっているため、貫通孔を囲むように形成される第２の壁部と、光軸方向へ移動する可動体との干渉を防止しやすくなる。
【００１０】
本発明において、拡張部は、可動体の被写体側に形成されていることが好ましい。このように構成すると、レンズ駆動装置の被写体側の端面部と可動体との間からレンズ駆動装置の内部へ入り込んだ塵埃がレンズ駆動装置の反被写体側へ移動するのを可動体の被写体側で抑制することが可能になる。また、このように構成すると、レンズ駆動装置の反被写体側において、レンズ駆動装置の組立作業がやりやすくなる。
【００１１】
本発明において、拡張部は、たとえば、平板状に形成されている。この場合には、拡張部がブロック状に形成されている場合と比較して、駆動用コイルの巻回時に拡張部が邪魔になりにくくなる。したがって、駆動用コイルの巻回作業が容易になる。
【００１２】
本発明において、駆動機構は、略四角筒状に形成されるカバー部材の４つの側面に沿って配置される平板状の駆動用磁石を備え、駆動用磁石は、駆動用コイルに対向する対向部と、対向部からレンズ駆動装置の四隅のうちの隣り合う２箇所に向かって伸びる非対向部とを備えることが好ましい。このように構成すると、レンズ駆動装置の内部の四隅に形成されやすい空間を駆動用磁石の非対向部を利用して狭くすることが可能になる。したがって、レンズ駆動装置の被写体側の端面部と可動体との間からレンズ駆動装置の内部へ入り込んだ塵埃が、レンズ駆動装置の反被写体側へ移動するのを効果的に抑制することが可能になる。
【００１３】
本発明において、拡張部には、光軸方向を軸方向として可動体が回動したときの拡張部と駆動用磁石との干渉を防止するための切欠き部が形成されていることが好ましい。このように構成すると、可動体に拡張部が形成され、かつ、駆動用磁石に非対向部が形成されている場合であっても、可動体と駆動用磁石との干渉を防止することが可能になる。
【００１４】
本発明において、レンズ駆動装置は、可動体の被写体側で可動体と固定体とを繋ぐ板バネを備え、固定体は、板バネの一部が固定される略四角形の枠状のバネ固定部材を備え、バネ固定部材は、レンズ駆動装置の四隅に配置され反被写体側に向かって伸びる突起部を備え、突起部は、レンズ駆動装置の周方向で隣り合う駆動用磁石の端面の間に形成される隙間に配置されていることが好ましい。このように構成すると、レンズ駆動装置の周方向で隣り合う駆動用磁石の端面の間に形成される隙間を突起部で埋めることが可能になる。したがって、レンズ駆動装置の被写体側の端面部と可動体との間からレンズ駆動装置の内部へ入り込んだ塵埃が、レンズ駆動装置の反被写体側へ移動するのを効果的に抑制することが可能になる。
【００１５】
本発明において、レンズ駆動装置の周方向で隣り合う駆動用磁石の端面の間に形成される隙間の少なくとも一部には、接着剤が充填されていることが好ましい。このように構成すると、レンズ駆動装置の周方向で隣り合う駆動用磁石の端面の間に形成される隙間を接着剤で埋めることが可能になる。したがって、レンズ駆動装置の被写体側の端面部と可動体との間からレンズ駆動装置の内部へ入り込んだ塵埃が、レンズ駆動装置の反被写体側へ移動するのを効果的に抑制することが可能になる。また、このように構成すると、カバー部材への駆動用磁石の固定強度を高めることが可能になる。
【００１７】
本発明において、駆動機構は、光軸方向に所定の間隔をあけた状態で可動体に巻回される２個の駆動用コイルを備え、可動体の、２個の駆動用コイルの間には、光軸方向に略直交する方向へ、かつ、拡張部が形成されていないレンズ駆動装置の四隅のうちの残りの１箇所へ向かって突出する第１の突出部が形成されていることが好ましい。また、本発明において、可動体の反被写体側には、光軸方向に略直交する方向へ、かつ、拡張部が形成されていないレンズ駆動装置の四隅のうちの残りの１箇所へ向かって突出する第２の突出部が形成されていることが好ましい。このように構成すると、反被写体側から被写体側へ駆動用コイルを引き回すために、拡張部よりもフック部が小さく形成されていても、拡張部が形成されていないレンズ駆動装置の四隅の１箇所において、レンズ駆動装置の反被写体側へ塵埃が移動するのを、第１の突出部や第２の突出部によって効果的に抑制することが可能になる。
【００２１】
本発明において、たとえば、ベース部材の被写体側の面には、光軸方向における可動体の基準位置を決めるための基準凹部が反被写体側に向かって窪むように形成され、基準凹部の底面は、可動体が当接して光軸方向における可動体の基準位置を決める基準面となっており、第２の壁部は、基準凹部の側面を構成している。
【００２２】
本発明において、ベース部材には、光軸方向において、略四角筒状に形成されるカバー部材の反被写体側の端面と重なるカバー部材固定面が形成され、カバー部材固定面には、カバー部材の反被写体側の端面に当接する当接面を有する凸部が被写体側へ突出するように形成されていることが好ましい。このように構成すると、カバー部材固定面の全体がカバー部材の反被写体側の端面に当接する場合と比較して、当接面の平面度や寸法精度を確保しやすくなる。したがって、ベース部材に対するカバー部材の傾きを抑制することが可能になる。また、ベース部材とカバー部材とが固定された状態のレンズ駆動装置の寸法精度を確保しやすくなる。また、このように構成すると、カバー部材固定面と、カバー部材の反被写体側の端面との間に形成される隙間を、カバー部材とベース部材とを固定するための接着剤が溜まる接着剤溜まりとすることができる。したがって、カバー部材とベース部材との接合部から接着剤がはみ出すのを防止することが可能になる。
【発明の効果】
【００２３】
以上のように、本発明では、レンズの光軸方向から見たときの形状が略四角形状となるレンズ駆動装置において、レンズ駆動装置の被写体側の端面部と可動体との間からレンズ駆動装置の内部へ入り込んだ塵埃が撮像素子やＩＲカットフィルタに付着するのを防止することが可能になる。
【図面の簡単な説明】
【００２４】
【図１】本発明の実施の形態にかかるレンズ駆動装置の斜視図である。
【図２】図１のＥ−Ｅ断面の断面図である。
【図３】図１に示すレンズ駆動装置の分解斜視図である。
【図４】図１に示すレンズ駆動装置の駆動用コイルおよび駆動用磁石を抜き出して示す平面図である。
【図５】図３に示すスリーブを被写体側から示す斜視図である。
【図６】図３に示すスリーブを反被写体側から示す斜視図である。
【図７】図１に示すレンズ駆動装置からカバー部材、スペーサおよび板バネを取り外した状態の平面図である。
【図８】図３に示すベース部材を被写体側から示す斜視図である。
【図９】図３に示すベース部材の、光軸を中心に略１８０°回転させた状態を示す斜視図である。
【図１０】図１に示すレンズ駆動装置からカバー部材を取り外した状態の斜視図である。
【発明を実施するための形態】
【００２５】
以下、図面を参照しながら、本発明の実施の形態を説明する。
【００２６】
（レンズ駆動装置の概略構成）
図１は、本発明の実施の形態にかかるレンズ駆動装置１の斜視図である。図２は、図１のＥ−Ｅ断面の断面図である。図３は、図１に示すレンズ駆動装置１の分解斜視図である。図４は、図１に示すレンズ駆動装置１の駆動用コイル１５および駆動用磁石１７を抜き出して示す平面図である。なお、以下の説明では、図１等に示すように、互いに直交する３方向のそれぞれをＸ方向、Ｙ方向およびＺ方向とする。また、Ｘ方向を左右方向、Ｙ方向を前後方向、Ｚ方向を上下方向とする。また、Ｘ１方向側を「右」側、Ｘ２方向側を「左」側、Ｙ１方向側を「前」側、Ｙ２方向側を「後（後ろ）」側、Ｚ１方向側を「上」側、Ｚ２方向側を「下」側とする。
【００２７】
本形態のレンズ駆動装置１は、携帯電話、ドライブレコーダあるいは監視カメラシステム等で使用される比較的小型のカメラに搭載されるものであり、図１に示すように、全体として略四角柱状に形成されている。具体的には、レンズ駆動装置１は、撮影用のレンズの光軸Ｌの方向（光軸方向）から見たときの形状が略四角形状となるように形成されている。本形態では、レンズ駆動装置１は、光軸方向から見たときの形状が略正方形状となるように形成されている。また、レンズ駆動装置１の４つの側面は、左右方向または前後方向と略平行になっている。
【００２８】
本形態では、Ｚ方向（上下方向）が光軸方向とほぼ一致している。また、本形態のレンズ駆動装置１が搭載されるカメラでは、下側に図示を省略する撮像素子が配置されており、上側に配置される被写体が撮影される。すなわち、本形態では、上側（Ｚ１方向側）は被写体側（物体側）であり、下側（Ｚ２方向側）は反被写体側（撮像素子側、像側）である。
【００２９】
レンズ駆動装置１は、図１、図２に示すように、撮影用のレンズを保持し光軸方向へ移動可能な可動体２と、可動体２を光軸方向へ移動可能に保持する固定体３と、可動体２を光軸方向へ駆動するための駆動機構４とを備えている。また、レンズ駆動装置１は、図２、図３に示すように、可動体２と固定体３とを繋ぐ板バネ５、６を備えている。すなわち、可動体２は、板バネ５、６を介して固定体３に移動可能に保持されている。本形態では、１個の板バネ５が可動体２の上端側に配置され、２個の板バネ６が可動体２の下端側に配置されている。
【００３０】
可動体２は、複数のレンズが固定されたレンズホルダ７を保持するスリーブ８を備えている。固定体３は、レンズ駆動装置１の側面の上端側部分を構成するカバー部材１０と、レンズ駆動装置１の側面の下端側部分およびレンズ駆動装置１の下端面を構成するベース部材１１と、板バネ５の一部が固定されるスペーサ１２とを備えている。ベース部材１１には、駆動機構４を構成する後述の駆動用コイル１５に電流を供給するための一対の給電端子１３が固定されている。
【００３１】
レンズホルダ７は、略円筒状に形成されている。このレンズホルダ７の内周側には、上下方向から見たときの形状が略円形状となる複数のレンズが固定されている。レンズホルダ７の外周面には、オネジが形成されている。なお、図２、図３では、レンズホルダ７の図示を省略している。
【００３２】
スリーブ８は、樹脂材料で形成されている。また、スリーブ８は、略筒状に形成されている。具体的には、スリーブ８は、上下方向から見たときの内周面の形状が略円形状となるとともに、上下方向から見たときの外周面の上端側の形状が略円形状となり、かつ、上下方向から見たときの外周面の下端側の形状が略四角形状となる略筒状に形成されている。スリーブ８の下端には、ベース部材１１に形成される後述の基準面１１ｂに当接する当接面８ａが光軸方向と略直交するように形成されている。具体的には、前後方向および左右方向におけるスリーブ８の下端の略中心位置に、かつ、略９０°ピッチで、４個の当接面８ａが形成されている。スリーブ８のより具体的な構成については後述する。
【００３３】
カバー部材１０は、磁性材料で形成されている。また、カバー部材１０は、底部１０ａと筒部１０ｂとを有する底付きの略四角筒状に形成されている。底部１０ａは、上側に配置されており、レンズ駆動装置１の上端面を構成している。底部１０ａの中心には、底部１０ａを貫通する開口部１０ｃが形成されている。カバー部材１０は、可動体２および駆動機構４の外周側を覆っている。
【００３４】
ベース部材１１は、樹脂材料で形成されている。また、ベース部材１１は、光軸方向から見たときの形状が略正方形となるブロック状に形成されている。このベース部材１１は、カバー部材１０の下端側に取り付けられている。ベース部材１１の中心には、貫通孔１１ａが形成されている。また、ベース部材１１の上面には、光軸方向における可動体２の基準位置を決めるための基準面１１ｂが光軸方向と略直交するように形成されている。具体的には、前後方向および左右方向におけるベース部材１１の上面の略中心位置に、かつ、略９０°ピッチで、４個の基準面１１ｂが形成されている。基準面１１ｂには、スリーブ８の当接面８ａが当接可能となっている。ベース部材１１のより具体的な構成については後述する。
【００３５】
スペーサ１２は、たとえば、樹脂材料で形成されるとともに、略正方形の扁平なブロック状に形成されている。また、スペーサ１２は、略正方形の枠状に形成されており、その中心には、貫通孔が形成されている。このスペーサ１２は、カバー部材１０の底部１０ａの下面に固定されている。スペーサ１２の詳細な構成については後述する。
【００３６】
板バネ５は、スリーブ８の上端側に固定される円環状の可動体固定部と、スペーサ１２に固定される４個の固定体固定部と、可動体固定部と固定体固定部とを繋ぐ４本の腕部とを備えている。この板バネ５は、その厚さ方向と上下方向とが略一致するように、スリーブ８およびスペーサ１２に固定されている。本形態では、駆動機構４を構成する後述の駆動用コイル１５に電流が供給されていないときに、スリーブ８の当接面８ａとベース部材１１の基準面１１ｂとが当接して可動体２が所定の基準位置に配置されるように、板バネ５は、撓んだ状態でスリーブ８およびスペーサ１２に固定されている。
【００３７】
板バネ６は、スリーブ８の下端側に固定される可動体固定部と、ベース部材１１に固定される２個の固定体固定部と、可動体固定部と固定体固定部とを繋ぐ２本の腕部とを備えている。板バネ６は、その厚さ方向と上下方向とが略一致するように、スリーブ８およびベース部材１１に固定されている。また、板バネ６は、スリーブ８の当接面８ａとベース部材１１の基準面１１ｂとが当接しているときに板バネ６による付勢力が可動体２に生じないように、スリーブ８およびベース部材１１に固定されている。
【００３８】
給電端子１３は、平板状の金属材料が折り曲げられることで形成されている。この給電端子１３は、ベース部材１１に固定されている。また、給電端子１３には、板バネ６の一部が半田付け等されて固定されている。
【００３９】
駆動機構４は、スリーブ８の外周面に巻回される２個の駆動用コイル１５と、レンズ駆動装置１の４つの側面のそれぞれに沿って配置される４個の駆動用磁石１７とを備えている。
【００４０】
２個の駆動用コイル１５は、上下方向に所定の間隔をあけた状態で、スリーブ８の外周面に巻回されている。また、２個の駆動用コイル１５は、１本の導線がスリーブ８の外周面に順次巻回されることで形成されている。本形態では、まず、上側の駆動用コイル１５が形成され、その後、下側の駆動用コイル１５が形成されている。また、上側の駆動用コイル１５の巻回方向と、下側の駆動用コイル１５の巻回方向とは異なっている。２個の駆動用コイル１５を構成する導線の両端側のそれぞれは、２枚の板バネ６のそれぞれに半田付け等されて固定されている。
【００４１】
スリーブ８の外周面の、駆動用コイル１５が巻回される部分（すなわち、後述の被巻回部８ｅ）は、上下方向から見たときの形状が略八角形状となるように形成されており、駆動用コイル１５は、略八角筒状に巻回されている。図４に示すように、駆動用コイル１５の、前後方向または左右方向に略平行な部分（すなわち、カバー部材１０の筒部１０ｂの４つの側面に沿って配置される部分）は、駆動用磁石１７に対向している。すなわち、駆動用コイル１５の、前後方向または左右方向に平行な部分は、駆動用磁石１７に対向する対向部１５ａとなっている。一方、レンズ駆動装置１の四隅に配置される駆動用コイル１５の、前後方向および左右方向に対して傾斜する部分は、駆動用磁石１７に対向していない非対向部となっている。
【００４２】
駆動用磁石１７は、略矩形の平板状に形成されている。この駆動用磁石１７は、カバー部材１０の筒部１０ｂの前後左右の内側面に固定されている。すなわち、駆動用磁石１７は、筒部１０ｂの４つの側面に沿って配置されている。駆動用磁石１７は、上側に配置される駆動用コイル１５に対向する面の磁極と、下側に配置される駆動用コイル１５に対向する面の磁極とが異なる磁極となるように着磁されている。また、４つの駆動用磁石１７の、上側に配置される駆動用コイル１５に対向する面の磁極が同じ磁極となるように、駆動用磁石１７が着磁されている。
【００４３】
図４に示すように、前後方向と略平行に配置される駆動用磁石１７の前後方向の幅は、前後方向と略平行な駆動用コイル１５の対向部１５ａの前後方向の幅よりも長くなっており、左右方向と略平行に配置される駆動用磁石１７の左右方向の幅は、左右方向と略平行な対向部１５ａの左右方向の幅よりも長くなっている。また、前後方向と略平行に配置される駆動用磁石１７の前後方向の中心側部分は、前後方向と略平行な対向部１５ａと対向しているが、この駆動用磁石１７の前後方向の両端側部分は、対向部１５ａと対向していない。同様に、左右方向と略平行に配置される駆動用磁石１７の左右方向の中心側部分は、左右方向と略平行な対向部１５ａと対向しているが、この駆動用磁石１７の左右方向の両端側部分は、対向部１５ａと対向していない。
【００４４】
すなわち、駆動用磁石１７は、駆動用コイル１５の対向部１５ａに対向する対向部１７ａと、対向部１５ａに対向しない非対向部１７ｂとによって構成されている。非対向部１７ｂは、対向部１７ａからレンズ駆動装置１の四隅に向かって伸びている。具体的には、前後方向と略平行な駆動用磁石１７の前後の両端面と、左右方向に略平行な駆動用磁石１７の左右の両端面とが接触しないように、非対向部１７ｂは、対向部１７ａからレンズ駆動装置１の四隅に向かって伸びており、レンズ駆動装置１の周方向で隣り合う駆動用磁石１７の端面の間には、隙間Ｓ１が形成されている。すなわち、レンズ駆動装置１の四隅において、レンズ駆動装置１の周方向で隣り合う駆動用磁石１７の端面の間には、隙間Ｓ１が形成されている。なお、本形態のカバー部材１０は、磁気回路を形成するためのヨークの機能を果たしている。
【００４５】
以上のように構成されたレンズ駆動装置１では、駆動用コイル１５に電流が供給されると可動体２が光軸方向へ移動する。可動体２の上端側（具体的には、スリーブ８の上端側）と、固定体３の上端部（具体的には、カバー部材１０の底部１０ａ）との間には、可動体２の上下方向への移動が可能となるように、隙間Ｓ２（図１、図２参照）が形成されている。
【００４６】
（スリーブの構成）
図５は、図３に示すスリーブ８を被写体側から示す斜視図である。図６は、図３に示すスリーブ８を反被写体側から示す斜視図である。図７は、図１に示すレンズ駆動装置１からカバー部材１０、スペーサ１２および板バネ５を取り外した状態の平面図である。
【００４７】
スリーブ８は、上述のように、上下方向から見たときの内周面の形状が略円形状となるとともに、上下方向から見たときの外周面の上端側の形状が略円形状となり、かつ、上下方向から見たときの外周面の下端側の形状が略四角形状となる略筒状に形成されている。スリーブ８の内周面には、レンズホルダ７の外周面に形成されるオネジに螺合するメネジ８ｂが形成されている。
【００４８】
スリーブ８の上端側には、上側へ突出する複数の凸部８ｃが形成されている。本形態では、略９０°の等角度ピッチで、４個の凸部８ｃが形成されている。また、４個の凸部８ｃは、レンズ駆動装置１の四隅に対応する位置に形成されている。凸部８ｃの上端面は、上下方向に略直交するように形成されている。この凸部８ｃの上端面は、カバー部材１０の底部１０ａの下面に当接して固定体３に対する可動体２の上側への移動量を規制する規制面となっている。また、スリーブ８の上端側には、板バネ５の可動体固定部が固定されるバネ固定面８ｄが形成されている。バネ固定面８ｄは、凸部８ｃの下側であって、かつ、凸部８ｃよりも外周側に形成されている。
【００４９】
スリーブ８の外周側には、駆動用コイル１５が巻回される被巻回部８ｅが形成されている。被巻回部８ｅは、スリーブ８の径方向の内側へ窪むように形成されている。また、２個の被巻回部８ｅが上下方向に所定の間隔をあけた状態で形成されている。被巻回部８ｅは、上下方向から見たときの形状が略八角形状となるように形成されている。
【００５０】
上側に配置される被巻回部８ｅの上側には、上下方向に略直交する方向へ広がる鍔状の拡張部８ｆが形成されている。本形態では、レンズ駆動装置１の四隅のうちの３箇所のそれぞれに向かって広がる３個の拡張部８ｆがスリーブ８に形成されている。具体的には、図７に示すように、レンズ駆動装置１の右前の隅、左前の隅および右後ろの隅のそれぞれに向かって広がる３個の拡張部８ｆがスリーブ８に形成されている。
【００５１】
拡張部８ｆは、上下方向において、上側に配置される被巻回部８ｅとバネ固定面８ｄとの間に形成されており、スリーブ８の上側部分に形成されている。また、拡張部８ｆは、左右方向（Ｘ方向）と前後方向（Ｙ方向）とから形成されるＸＹ平面に略平行な平板状に形成されている。また、拡張部８ｆは、上下方向から見たときの形状が略直角二等辺三角形状となる平板状に形成されており、略直角な頂点部分がレンズ駆動装置１の右前の隅、左前の隅および右後ろの隅に配置されている。拡張部８ｆの一部は、上下方向から見たときに、ベース部材１１の上面側の右前の隅、左前の隅および右後ろの隅に形成される後述のバネ固定部１１ｃに重なっている。また、拡張部８ｆの、上下方向に直交する方向の端面は、駆動用磁石１７と対向している。
【００５２】
拡張部８ｆには、上下方向を軸方向としてスリーブ８が回動したときの拡張部８ｆと駆動用磁石１７（具体的には、非対向部１７ｂ）との干渉を防止するための切欠き部８ｇが形成されている。切欠き部８ｇは、略直角二等辺三角形状に形成される拡張部８ｆの略直角な頂点を含む前後方向の所定の範囲が左右方向の内側に向かって一定量切り欠かれるとともに、拡張部８ｆの略直角な頂点を含む左右方向の所定の範囲が前後方向の内側に向かって一定量切り欠かれることで形成されており、上下方向から見たときに略Ｌ形状に形成されている。本形態では、拡張部８ｆの上下方向に直交する方向の端面の、駆動用磁石１７の非対向部１７ｂに対向する範囲に切欠き部８ｇが形成されている。
【００５３】
上述のように、２個の駆動用コイル１５を構成する導線の両端側のそれぞれは、スリーブ８の下端側に配置される２枚の板バネ６のそれぞれに固定されている。また、上側に配置される被巻回部８ｅと下側に配置される被巻回部８ｅとにこの順番で導線が巻回されることで２個の駆動用コイル１５が形成されている。スリーブ８には、導線の一端部が固定されるスリーブ８の下端側から上側の被巻回部８ｅに向かって引き回される導線（すなわち、駆動用コイル１５の一部）を引っ掛けるフック部８ｈが上下方向に略直交する方向へ突出するように形成されている（図６参照）。
【００５４】
フック部８ｈは、レンズ駆動装置１の四隅のうちの拡張部８ｆが形成されていない残りの１箇所に向かって突出するように形成されている。すなわち、フック部８ｈは、図７に示すように、レンズ駆動装置１の左後ろの隅に向かって突出するように形成されている。また、フック部８ｈは、上下方向において、拡張部８ｆと略同じ位置に形成されており、スリーブ８の上側部分に形成されている。また、拡張部８ｆと同様に、フック部８ｈは、ＸＹ平面に略平行な平板状に形成されている。また、フック部８ｈは、上下方向から見たときの形状が略Ｔ形状となる平板状に形成されている。上下方向から見たときのフック部８ｈの面積は、上下方向から見たときの拡張部８ｆの面積よりも狭くなっている。スリーブ８の下端側から引き回された導線は、フック部８ｈに、たとえば、１周巻かれた後、上側の被巻回部８ｅに巻回される。
【００５５】
図６に示すように、上側の被巻回部８ｅと下側の被巻回部８ｅとの間（すなわち、２個の駆動用コイル１５の間）であって、かつ、フック部８ｈの下側には、レンズ駆動装置１の左後ろの隅に向かって突出する第１の突出部としての突出部８ｊが形成されている。また、下側の被巻回部８ｅの下側であって、かつ、突出部８ｊの下側にも、レンズ駆動装置１の左後ろの隅に向かって突出する第２の突出部としての突出部８ｋが形成されている。
【００５６】
突出部８ｊ、８ｋは、ＸＹ平面に略平行な平板状に形成されている。上下方向から見たときの突出部８ｊ、８ｋの面積は、上下方向から見たときのフック部８ｈの面積よりも広くなっている。また、突出部８ｊ、８ｋは、上下方向から見たときに、ベース部材１１の上面側の左後ろ側の隅に形成される後述のバネ固定部１１ｃとわずかに重なっている。なお、フック部８ｈおよび突出部８ｊ、８ｋの隣には、図６に示すように、上下方向へ導線を通過させるための切欠き部８ｍが形成されている。この切欠き部８ｍは、スリーブ８の径方向の内側へ被巻回部８ｅと同程度、窪んでいる。
【００５７】
（ベース部材の構成）
図８は、図３に示すベース部材１１を被写体側から示す斜視図である。図９は、図３に示すベース部材１１の、光軸Ｌを中心に略１８０°回転させた状態を示す斜視図である。
【００５８】
ベース部材１１は、上述のように、光軸方向から見たときの形状が略正方形となるブロック状に形成されており、その中心には、貫通孔１１ａが形成されている。貫通孔１１ａは、上下方向から見たときの形状が略正方形状となるように形成されている。貫通孔１１ａの中、あるいは、貫通孔１１ａの下側には、レンズ駆動装置１が搭載されるカメラの一部を構成するＩＲカットフィルタ（図示省略）が配置されている。また、ＩＲカットフィルタの下側には撮像素子（図示省略）が配置されている。
【００５９】
ベース部材１１の上面側の四隅には、板バネ６の固定体固定部を固定するためのバネ固定部１１ｃが形成されている。バネ固定部１１ｃは、ベース部材１１の上面から上側へ突出するように形成されており、バネ固定部１１ｃの上面は、板バネ６の固定体固定部が固定されるバネ固定面となっている。
【００６０】
また、ベース部材１１の上面側には、ベース部材１１の上面の外周端に沿うように外周壁部１１ｄが形成されている。外周壁部１１ｄは、ベース部材１１の上面の外周端から上側へ立ち上がる略平板状に形成されている。外周壁部１１ｄよりも外周側には、上下方向において、カバー部材１０の筒部１０ｂの下端面１０ｄと重なるカバー部材固定面１１ｅが形成されている。カバー部材固定面１１ｅは、ベース部材１１のほぼ全周に亘って形成されている。
【００６１】
ベース部材１１の前後に配置されるカバー部材固定面１１ｅの左右方向における略中心位置、および、ベース部材１１の左右に配置されるカバー部材固定面１１ｅの前後方向における略中心位置には、上側へ突出する１個の凸部１１ｆが形成されている。すなわち、カバー部材固定面１１ｅには、合計４個の凸部１１ｆが形成されている。凸部１１ｆの上面は、上下方向に略直交する平面状に形成されており、筒部１０ｂの下端面１０ｄに当接する当接面１１ｇとなっている。そのため、カバー部材固定面１１ｅと筒部１０ｂの下端面１０ｄとの間には、図１に示すように隙間が形成されている。
【００６２】
本形態では、外周壁部１１ｄの外側面に接着剤を塗布した状態のベース部材１１を筒部１０ｂの内周側に挿入することで、筒部１０ｂの下端側にベース部材１１が固定される。筒部１０ｂの下端面１０ｄとカバー部材固定面１１ｅとの間に形成される隙間は、筒部１０ｂの下端側にベース部材１１を固定する際に、外周壁部１１ｄの外側面に塗布された接着剤の一部が溜まる接着剤溜まりとなっている。
【００６３】
ベース部材１１の上面には、貫通孔１１ａを囲むように、第２の壁部としての壁部１１ｈが形成されている。壁部１１ｈは、ベース部材１１の上面から上側へわずかに立ち上がるように形成されている。本形態では、２個の壁部１１ｈが形成されている。一方の壁部１１ｈは、貫通孔１１ａの右前の隅の縁から左前の隅の縁を経由して左後ろの隅の縁の近傍まで形成されている。他方の壁部１１ｈは、貫通孔１１ａの右前の隅の縁の近傍から右後ろの隅の縁を経由して左後ろの隅の縁まで形成されている。すなわち、壁部１１ｈは、上下方向から見たときに略Ｌ形状となるように形成されている。ベース部材１１の周方向において、２個の壁部１１ｈの間には隙間があり、貫通孔１１ａの全周に亘っては、壁部１１ｈは形成されていない。なお、２個の壁部１１ｈの間の隙間には、スリーブ８に固定されるとともに駆動用コイル１５の導線の端部側が巻き付けられるピン（図示省略）との干渉を防止するための逃げ部となっている。
【００６４】
また、ベース部材１１の上面には、ベース部材１１の上面から下側へわずかに窪む３個の凹部１１ｊが形成されている。凹部１１ｊは、貫通孔１１ａの左右方向の外側に配置される壁部１１ｈの左右方向の外側の２箇所と、貫通孔１１ａの後ろ側に配置される壁部１１ｈの後ろ側の１箇所との３箇所に形成されている。凹部１１ｊの底面は、上述の基準面１１ｂとなっている。貫通孔１１ａの左右方向の外側に配置される壁部１１ｈは、その左右方向の外側に形成される凹部１１ｊの左右方向の内側の側面を構成している。本形態では、貫通孔１１ａの左右方向の外側に配置される壁部１１ｈの左右方向の外側に形成される凹部１１ｊは、上下方向における可動体２の基準位置を決めるための基準凹部となっている。
【００６５】
ベース部材１１の上面の左後ろの隅には、上側へ立ち上がる第１の壁部としての壁部１１ｋが形成されている。すなわち、レンズ駆動装置１の四隅のうちの拡張部８ｆが形成されていない１箇所の、ベース部材１１の上面には、壁部１１ｋが形成されている。壁部１１ｋは、ベース部材１１の上面の左後ろの隅に形成されるバネ固定部１１ｃよりも内周側に、かつ、壁部１１ｈよりも外周側に形成されている。具体的には、壁部１１ｋは、２個の壁部１１ｈの間の隙間を外周側から覆うように形成されている。また、壁部１１ｋは、前後方向に略平行な部分と、左右方向に略平行な部分と、前後左右方向に対して傾斜するとともにこれら２つの部分を繋ぐ部分とから構成されている。壁部１１ｋは、壁部１１ｈよりも高くなっている。
【００６６】
ベース部材１１の上面の右前の隅の近傍には、上側へ立ち上がる壁部１１ｍが形成されている。壁部１１ｍは、ベース部材１１の上面の右前の隅に形成されるバネ固定部１１ｃの後ろ側に形成されている。また、壁部１１ｍは、壁部１１ｈよりも外周側に形成されている。具体的には、壁部１１ｍは、２個の壁部１１ｈの間の隙間を外周側から覆うように形成されている。また、壁部１１ｍは、前後方向に略平行な部分のみによって構成されている。壁部１１ｍの高さは、壁部１１ｋの高さと略等しくなっている。
【００６７】
（スペーサの構成）
図１０は、図１に示すレンズ駆動装置１からカバー部材１０を取り外した状態の斜視図である。
【００６８】
スペーサ１２は、上述のように、略正方形の扁平なブロック状に形成されるとともに、略正方形の枠状に形成されている。スペーサ１２の四隅のそれぞれには、下側へ突出する突起部１２ａが形成されている。突起部１２ａは、カバー部材１０の筒部１０ｂの内周側の四隅のそれぞれに配置されている。具体的には、突起部１２ａは、図１０に示すように、レンズ駆動装置１の周方向で隣り合う駆動用磁石１７の端面の間に形成される隙間Ｓ１の上側部分に配置されている。本形態のスペーサ１２は、板バネ５の一部が固定されるバネ固定部材である。
【００６９】
突起部１２ａの下側に形成される隙間Ｓ１の下側部分は、筒部１０ｂの四隅部分に外周側から覆われている。この隙間Ｓ１の下側部分の一部または全部には、図示を省略する接着剤が充填されている。
【００７０】
（本形態の主な効果）
以上説明したように、本形態では、スリーブ８に、レンズ駆動装置１の右前の隅、左前の隅および右後ろの隅のそれぞれに向かって広がる３個の拡張部８ｆが形成されている。そのため、レンズ駆動装置１の右前の隅、左前の隅および右後ろの隅において、スリーブ８とカバー部材１０の筒部１０ｂの内周面との隙間を小さくすることが可能になる。したがって、本形態のように、上下方向から見たときの形状が略正方形状となるようにレンズ駆動装置１が形成されているために、レンズ駆動装置１の内部の四隅に空間が形成されやすくなっていても、スリーブ８の上端側とカバー部材１０の底部１０ａとの間の隙間Ｓ２からレンズ駆動装置１の内部へ入り込んだ塵埃が、レンズ駆動装置１の四隅において、筒部１０ｂの内側を通過して下側へ移動するのを拡張部８ｆによって抑制することが可能になる。その結果、本形態では、隙間Ｓ２からレンズ駆動装置１の内部へ入り込んだ塵埃が、ベース部材１１の貫通孔１１ａの中、あるいは、貫通孔１１ａの下側に配置されるＩＲカットフィルタに付着するのを防止することが可能になる。
【００７１】
特に、本形態では、拡張部８ｆがスリーブ８の上側部分に形成されているため、隙間Ｓ２からレンズ駆動装置１の内部へ入り込んだ塵埃が、筒部１０ｂの内側を通過して下側へ移動するのをレンズ駆動装置１の上側で抑制することが可能になる。また、拡張部８ｆはスリーブ８の上側部分に形成されているため、スリーブ８に固定された状態の板バネ６の固定体固定部をベース部材１１のバネ固定部１１ｃに固定する際の固定作業の支障とはなりにくい。したがって、本形態では、バネ固定部１１ｃへの板バネ６の固定作業が容易になる。
【００７２】
本形態では、スリーブ８にフック部８ｈが形成されている。そのため、下側から引き回された駆動用コイル１５の導線をフック部８ｈに引っ掛けた状態で上側の被巻回部８ｅに導線を巻回することができる。したがって、本形態では、上側に配置される被巻回部８ｅから下側に配置される被巻回部８ｅへ１本の導線を整然と巻回することが可能になる。
【００７３】
また、本形態では、フック部８ｈは、レンズ駆動装置１の左後ろの隅に向かって突出するように形成されているため、拡張部８ｆが形成されていないレンズ駆動装置１の左後ろの隅でも、スリーブ８とカバー部材１０の筒部１０ｂの内周面との隙間を小さくすることが可能になる。したがって、本形態では、レンズ駆動装置１の左後ろの隅においても、隙間Ｓ２からレンズ駆動装置１の内部へ入り込んだ塵埃が下側へ移動するのを抑制することが可能になる。特に本形態では、フック部８ｈの下側に突出部８ｊ、８ｋが形成されているため、上下方向から見たときのフック部８ｈの面積が拡張部８ｆの面積よりも狭くなっていても、レンズ駆動装置１の左後ろの隅において、隙間Ｓ２からレンズ駆動装置１の内部へ入り込んだ塵埃が下側へ移動するのを突出部８ｊ、８ｋによって効果的に抑制することが可能になる。
【００７４】
本形態では、駆動用磁石１７は、駆動用コイル１５の対向部１５ａに対向する対向部１７ａに加え、対向部１７ａからレンズ駆動装置１の四隅に向かって伸びる非対向部１７ｂを備えている。そのため、レンズ駆動装置１の内部の四隅に形成されやすい空間を非対向部１７ｂによって狭くすることができる。したがって、本形態では、隙間Ｓ２からレンズ駆動装置１の内部へ入り込んだ塵埃が下側へ移動するのを効果的に抑制することが可能になる。
【００７５】
また、本形態では、スペーサ１２の四隅のそれぞれに形成される突起部１２ａが、レンズ駆動装置１の周方向で隣り合う駆動用磁石１７の端面の間に形成される隙間Ｓ１の上側部分に配置されているため、隙間Ｓ１の上側部分を突起部１２ａで埋めることができる。したがって、本形態では、隙間Ｓ２からレンズ駆動装置１の内部へ入り込んだ塵埃が下側へ移動するのを効果的に抑制することが可能になる。特に本形態では、隙間Ｓ１の下側部分の一部または全部に接着剤が充填されているため、隙間Ｓ２からレンズ駆動装置１の内部へ入り込んだ塵埃が下側へ移動するのを効果的に抑制することが可能になる。また、本形態では、隙間Ｓ１の下側部分の一部または全部に接着剤が充填されているため、固定体３に対する駆動用磁石１７の固定強度を高めることが可能になる。したがって、本形態では、レンズ駆動装置１の耐衝撃性を高めることが可能になる。
【００７６】
本形態では、ベース部材１１の上面の左後ろの隅に、上側へ立ち上がる壁部１１ｋが形成されている。そのため、フック部８ｈが形成されるレンズ駆動装置１の左後ろの隅において、隙間Ｓ２からレンズ駆動装置１の内部へ入り込んだ塵埃が仮にベース部材１１まで移動したとしても、この塵埃がベース部材１１の貫通孔１１ａの中、あるいは、貫通孔１１ａの下側に配置されるＩＲカットフィルタに付着するのを、壁部１１ｋによって防止することが可能になる。
【００７７】
また、本形態では、ベース部材１１に貫通孔１１ａを囲むように壁部１１ｈが形成されているため、仮に、隙間Ｓ２からレンズ駆動装置１の内部へ入り込んだ塵埃がレンズ駆動装置１の四隅においてベース部材１１まで移動したとしても、この塵埃がベース部材１１の貫通孔１１ａの中、あるいは、貫通孔１１ａの下側に配置されるＩＲカットフィルタに付着するのを、壁部１１ｈによって防止することが可能になる。なお、本形態では、壁部１１ｋが壁部１１ｈよりも高くなっているため、フック部８ｈが形成されるレンズ駆動装置１の左後ろの隅において、塵埃がＩＲカットフィルタに付着するのを効果的に防止することが可能である。
【００７８】
本形態では、拡張部８ｆは、平板状に形成されている。そのため、拡張部８ｆがブロック状に形成されている場合と比較して、駆動用コイル１５の巻回時に拡張部８ｆが邪魔になりにくくなる。したがって、本形態では、駆動用コイル１５の巻回作業が容易になる。
【００７９】
本形態では、拡張部８ｆに切欠き部８ｇが形成されている。そのため、本形態では、スリーブ８に拡張部８ｆが形成され、かつ、駆動用磁石１７に非対向部１７ｂが形成されていても、スリーブ８と駆動用磁石１７との干渉を防止することが可能になる。なお、仮に、可動体２が光軸Ｌを中心して過度に回動したときには、拡張部８ｆと駆動用磁石１７とが接触して、板バネ５、６の塑性変形を防止することが可能である。
【００８０】
本形態では、カバー部材１０の筒部１０ｂの下端面１０ｄと重なるベース部材１１のカバー部材固定面１１ｅに凸部１１ｆが形成されており、凸部１１ｆの上面は、筒部１０ｂの下端面１０ｄに当接する当接面１１ｇとなっている。そのため、カバー部材固定面１１ｅの全体が筒部１０ｂの下端面１０ｄに当接する場合と比較して、当接面１１ｇの平面度や寸法精度を確保しやすくなる。したがって、本形態では、ベース部材１１に対するカバー部材１０の傾きを抑制することが可能になる。また、ベース部材１１とカバー部材１０とが固定された状態のレンズ駆動装置１の上下方向の寸法精度を確保しやすくなる。
【００８１】
ベース部材１１に対するカバー部材１０の傾きを抑制することが可能になるため、スリーブ８の上端側とカバー部材１０の底部１０ａとの間の隙間Ｓ２の、レンズ駆動装置１の周方向におけるばらつきを抑制することが可能になり、また、ベース部材１１とカバー部材１０とが固定された状態のレンズ駆動装置１の上下方向の寸法精度を確保しやすくなるため、隙間Ｓ２の上下周方向におけるばらつきを抑制することが可能になる。その結果、本形態では、ばらつきが大きくなったときの隙間Ｓ２に応じた大きな塵埃が隙間Ｓ２からレンズ駆動装置１の内部へ入り込むのを抑制することが可能になり、また、可動体２の可動範囲を適切に確保することが可能になる。さらに、スリーブ８の当接面８ａとベース部材１１の基準面１１ｂとが当接して可動体２が所定の基準位置に配置されているときの板バネ５の撓み量のばらつきを抑制することが可能になる。したがって、可動体２の移動開始時に駆動用コイル１５に供給される電流（始動電流）のばらつきを抑制することが可能になる。
【００８２】
また、本形態では、カバー部材固定面１１ｅと筒部１０ｂの下端面１０ｄとの間に形成される隙間が、筒部１０ｂの下端側にベース部材１１を固定する際に、外周壁部１１ｄの外側面に塗布された接着剤の一部が溜まる接着剤溜まりとなっているため、カバー部材１０とベース部材１１との接合部から接着剤がはみ出すのを防止することが可能になる。
【００８３】
（他の実施の形態）
上述した形態は、本発明の好適な形態の一例ではあるが、これに限定されるものではなく本発明の要旨を変更しない範囲において種々変形実施が可能である。
【００８４】
上述した形態では、スリーブ８に、レンズ駆動装置１の四隅のうちの３箇所のそれぞれに向かって広がる３個の拡張部８ｆが形成されている。この他にもたとえば、スリーブ８に、レンズ駆動装置１の四隅のうちの２箇所のそれぞれに向かって広がる２個の拡張部８ｆが形成されても良いし、レンズ駆動装置１の四隅のうちの１箇所に向かって広がる１個の拡張部８ｆが形成されても良い。また、フック部８ｈが形成されていないのであれば、スリーブ８に、レンズ駆動装置１の四隅のそれぞれに向かって広がる４個の拡張部８ｆが形成されても良い。
【００８５】
上述した形態では、拡張部８ｆは、上側に配置される被巻回部８ｅの上側に形成されている。この他にもたとえば、拡張部８ｆは、上側に配置される被巻回部８ｅと下側に配置される被巻回部８ｅとの間に形成されても良いし、下側に配置される被巻回部８ｅの下側に形成されても良い。また、上側に配置される被巻回部８ｅの上側、上側に配置される被巻回部８ｅと下側に配置される被巻回部８ｅとの間、および、下側に配置される被巻回部８ｅの下側の３箇所に、または、これら３箇所のうちの２箇所に拡張部８ｆが形成されても良い。また、上述した形態では、フック部８ｈの下側に、突出部８ｊ、８ｋが形成されているが、フック部８ｈの下側に、突出部８ｊおよび／または突出部８ｋが形成されていなくても良い。
【００８６】
上述した形態では、駆動用磁石１７は、駆動用コイル１５の対向部１５ａに対向する対向部１７ａと、対向部１５ａに対向しない非対向部１７ｂとによって構成されている。この他にもたとえば、駆動用磁石１７は、対向部１５ａに対向する対向部１７ａのみによって構成されても良い。この場合には、レンズ駆動装置１の内部の四隅に形成されやすい空間を埋めるための部材（たとえば、カバー部材１０の四隅に沿う略Ｌ形状の部材）を別途、設けても良い。
【００８７】
上述した形態では、ベース部材１１の上面の左後ろの隅に１個の壁部１１ｋが形成されている。この他にもたとえば、ベース部材１１の上面の左後ろの隅にレンズ駆動装置１の径方向で、二重、三重に重なる複数の壁部が形成されても良い。また、上述した形態では、ベース部材１１の上面の左後ろの隅に壁部１１ｋが形成され、ベース部材１１の上面の右前の隅の近傍に壁部１１ｍが形成されているが、壁部１１ｋ、１１ｍに加えて、または、壁部１１ｋ、１１ｍに代えて、ベース部材１１の上面の左前の隅、および／または、ベース部材１１の上面の右後ろの隅に、壁部１１ｋ、１１ｍに相当する壁部が形成されても良い。また、ベース部材１１の上面に、壁部１１ｋ、１１ｍが形成されていなくても良い。
【００８８】
上述した形態では、貫通孔１１ａを囲むように、上下方向から見たときの形状が略Ｌ形状となる２個の壁部１１ｈが形成されている。この他にもたとえば、２個の壁部１１ｈに代えて、上下方向から見たときの形状が略四角形の枠状となる１個の壁部が、貫通孔１１ａを囲むように形成されても良いし、上下方向から見たときの形状が略直線状となる４個の壁部が、貫通孔１１ａを囲むように形成されても良い。また、貫通孔１１ａを囲むように複数の壁部が形成されるとともに、レンズ駆動装置１の径方向において、その一部同士が重なっていても良い。
【００８９】
上述した形態では、ベース部材１１のカバー部材固定面１１ｅに、合計４個の凸部１１ｆが形成されている。この他にもたとえば、カバー部材固定面１１ｅに、合計３個の凸部１１ｆが形成されても良いし、合計５個以上の凸部１１ｆが形成されても良い。また、カバー部材固定面１１ｅに凸部１１ｆが形成されなくても良い。また、上述した形態では、レンズ駆動装置１は、光軸方向から見たときの形状が略正方形状となるように形成されているが、レンズ駆動装置１は、光軸方向から見たときの形状が略長方形状となるように形成されても良い。
【００９０】
上述した形態では、拡張部８ｆは、ＸＹ平面に略平行な平板状に形成されている。この他にもたとえば、拡張部８ｆは、スリーブ８の径方向の外側に向かうにしたがって、上方向または下方向へ傾斜する平板状に形成されても良い。また、拡張部８ｆに、塵埃を保持するための凹部が下側へ窪むように形成されても良い。
【符号の説明】
【００９１】
１  レンズ駆動装置
２  可動体
３  固定体
４  駆動機構
５  板バネ
８ｆ  拡張部
８ｇ  切欠き部
８ｈ  フック部
８ｊ  突出部（第１の突出部）
８ｋ  突出部（第２の突出部）
１０  カバー部材
１０ｄ  筒部の下端面（カバー部材の反被写体側の端面）
１１  ベース部材
１１ａ  貫通孔
１１ｂ  基準面
１１ｅ  カバー部材固定面
１１ｆ  凸部
１１ｇ  当接面
１１ｈ  壁部（第２の壁部）
１１ｊ  凹部（基準凹部）
１１ｋ  壁部（第１の壁部）
１２  スペーサ（バネ固定部材）
１２ａ  突起部
１５  駆動用コイル
１７  駆動用磁石
１７ａ  対向部
１７ｂ  非対向部
Ｌ  光軸
Ｓ１  隙間
Ｚ  光軸方向
Ｚ１  被写体側
Ｚ２  反被写体側
【図１】
0005824338.tif 000002
【図２】
0005824338.tif 000003
【図３】
0005824338.tif 000004
【図４】
0005824338.tif 000005
【図５】
0005824338.tif 000006
【図６】
0005824338.tif 000007
【図７】
0005824338.tif 000008
【図８】
0005824338.tif 000009
【図９】
0005824338.tif 000010
【図１０】
0005824338.tif 000011